(57)【特許請求の範囲】
【請求項１】
一対の組立ユニットがヒンジで接合され、該ヒンジを中心に回転して平面方形の環状体に形成される作業函において、該作業函の下部の内面に沿って平面方形の環状体でかつ断面方形の止水チューブが設けられたことを特徴とする作業函。
【請求項２】
止水チューブは四枚板を張り合わせて構成されたことを特徴とする請求項１に記載の作業函。
【請求項３】
止水チューブは分割され、一端部に他端部を嵌入するスリーブが設けられたことを特徴とする請求項１または２に記載の作業函。
【請求項４】
止水チューブは作業函の下部の内面に沿って設けた溝状の固定部に設置されたことを特徴とする請求項１〜３のいずれかに記載の作業函。
【請求項５】
固定部は上板が取外自在であることを特徴とする請求項４に記載の作業函。
【発明の詳細な説明】
【０００１】
【発明の属する技術分野】
本発明は作業函に関するものである。
【０００２】
【従来の技術】
近年、河川などの水中に構築された構造物の保守、点検、補修、補強などが急務となっている。これらの作業は、図１２の（１）および（２）に示すように、橋脚２０を囲むようにして作業函２１を装着し、この内側の水を排出して陸上と同じドライな作業空間２３を形成していた。
【０００３】
【発明が解決しようとする課題】
しかし、上記の作業函はドライな作業空間を形成するために、断面円形の止水チューブを作業対象物に密着させて止水していたが、図１２の（３）に示すように、作業対象物２４が平面方形になると止水チューブ２５にしわがよって角部の密着性が劣るという問題があった。
【０００４】
本発明は上記のような問題に鑑みてなされたものであり、その目的は、平面方形の作業対象物であっても角部の密着性に優れた作業函を提供することである。
【０００５】
【課題を解決するための手段】
以上の課題を解決するための手段は、請求項１の発明の作業函が、一対の組立ユニットがヒンジで接合され、該ヒンジを中心に回転して平面方形の環状体に形成される作業函において、該作業函の下部の内面に沿って平面方形の環状体でかつ断面方形の止水チューブが設けられたことを特徴とし、また請求項２の発明の作業函が、請求項１において、止水チューブは四枚板を張り合わせて構成されたことを特徴とし、また請求項３の発明の作業函が、請求項１または２において、止水チューブは分割され、一端部に他端部を嵌入するスリーブが設けられたことを特徴とし、また請求項４の発明の作業函が、請求項１〜３のいずれかにおいて、止水チューブは作業函の下部の内面に沿って設けた溝状の固定部に設置されたことを特徴とし、また請求項５の発明の作業函が、請求項４において、固定部は上板が取外自在であることを特徴とする。
【０００６】
断面方形の止水チューブは作業対象物が平面方形であっても、角部の止水性に優れ、ドライな作業空間内への浸水を防ぐことができる。また四枚板を張り合わせた断面方形の止水チューブを簡単に製作することができる。分割された止水チューブの端部を、他端部のスリーブに嵌入すると端部同士が簡単に接合されて平面方形の環状体が形成できる。作業函を作業対象物に設置する前または設置した後でも、止水チューブを溝状の固定部に設置することができる。固定部の上板が取外自在なので、止水チューブを固定部に取り付け易くなった。
【０００７】
【発明の実施の形態】
以下、本発明の実施の形態を図面に基づいて説明する。作業函の実施の形態は３つあり、各実施の形態において同じ構成は同じ符号を付して説明し、異なった構成にのみ異なった符号を付して説明する。
【０００８】
図１〜図３は第１の実施の形態の作業函１を示し、該作業函１は一対の中空の組立ユニット２の一端部がヒンジ３で接合され平面方形の環状体に形成され、前記ヒンジ３を中心に開閉して杭や橋脚などの作業対象物を囲むことができるようになっている。
【０００９】
また作業函１の下部には、図２に示すように、内面に沿って断面方形の止水チューブ４がボルト５で取り付けられ、該止水チューブ４が作業対象物に密着できるようになっている。この止水チューブ４は平面方形の環状体であるが、作業函の接合部における箇所（ヒンジ３と対向した箇所）で切れており、この切れた一端部にスリーブ６が接着され、これに切れた他端部４ａを挿入すると一体的に接合された環状体になる。また止水チューブ４は、図３に示すように、４枚のゴム板、すなわち上面板７、下面板８、外側面板９および内側面板１０を接着剤で接着して断面方形に形成されている。したがって平面方形の作業対象物を囲む場合でも、それに沿って止水チューブ４を密着させることができる。
【００１０】
図４は第２の実施の形態の作業函１１を示したものである。この作業函１１は、下部の内面に沿って設けた溝状の固定部１２に止水チューブ４が設けられたものであり、これ以外は第１の実施の形態の作業函１と同じ構成である。このような固定部１２を設けたことにより、作業函１１を作業対象物に設置する前または設置した後にでも止水チューブ４を取り付けることができる。
【００１１】
図５は第３の実施の形態の作業函１３を示したものである。この作業函１３は固定部の上板１４を任意に取り外せるようにボルト止めしたものであり、これ以外は第２の実施の形態の作業函１１と同じ構成である。これにより止水チューブ４を固定部１２に簡単に取り付けすることができる。
【００１２】
以下に、第１の実施の形態の作業函１の設置方法について説明する。まず、図６に示すように、作業函１を開いた状態で作業対象物１５まで曳航する。このとき止水チューブ４は萎んだ状態で、かつ切り離されて帯状となっている。
【００１３】
次に、図７に示すように、平面方形のフーチング１６を囲むようにして作業函１を閉じるとともに、止水チューブ４の端部同士をスリーブ６で接合して平面方形の環状体にする。そして各組立ユニット２に注水して、止水チューブ４がフチーング１６の周りに位置するように作業函１を沈める。
【００１４】
次に、図８に示すように、止水チューブ４を空気で膨張させてフーチング１６に密着させるとともに、作業函１の内側の水１７をポンプ１８で排出する。そして、前記の水１７が全て排出されると、図９に示すような、陸上と同じドライな作業空間１９が形成される。
【００１５】
この作業函１は、図１０および図１１に示すように、止水チューブ４が断面方形で、かつフーチング１６と同じ平面方形であるため、フーチングの側面１６ａに沿って密着することができる。
【００１６】
なお、第２および第３の実施の形態の作業函１１、１３を使用した場合も、前記と同じ方法で設置し、かつ同じ効果を得ることができる。
【００１７】
【発明の効果】
断面方形の止水チューブは作業対象物が平面方形であっても、角部の止水性に優れドライな作業空間内への浸水を防ぐことができる。
【００１８】
四枚板を張り合わせた断面方形の止水チューブを簡単に製作することができる。
【００１９】
分割された止水チューブの端部を、他端部のスリーブに嵌入することにより、端部同士が簡単に接合されて平面方形の環状体を形成することができる。
【００２０】
作業函を作業対象物に設置する前または設置した後でも、止水チューブを固定部に設置することができる。
【００２１】
固定部の上板を取外自在としたので、止水チューブが固定部に取り付け易くなった。
【図面の簡単な説明】
【図１】   （１）は第１の実施の形態の作業函の横断面図、（２）は同縦断面図である。
【図２】 （１）は作業函の下部の断面図、（２）は止水チューブの断面図である。
【図３】   （１）は止水チューブの斜視図、（２）は同分解斜視図である。
【図４】   第２の実施の形態の作業函の一部省略断面図である。
【図５】   第３の実施の形態の作業函の一部省略断面図である。
【図６】   作業函を開いた状態で作業対象物に曳航する断面図である。
【図７】   作業対象物を囲むようにして設置した作業函の断面図である。
【図８】作業函の内側の水を排出する断面図である。
【図９】作業函の内側にドライな作業空間を形成した断面図である。
【図１０】（１）は作業函をフーチングに設置した断面図、（２）は止水チューブの断面図である。
【図１１】 フーチングに作業函を設置した横断面図である。
【図１２】（１）は従来の平面円形の作業函の横断面図、（２）は同縦断面図、（３）は平面方形の作業函の横断面図である。
【符号の説明】
１、１１、１３、２１  作業函
２  組立ユニット
３  ヒンジ
４、２５  止水チューブ
５  ボルト
６  スリーブ
７  上面板
８  下面板
９  外側面板
１０  内側面板
１２  固定部
１４  固定部の上板
１５、２４  作業対象物
１６  フーチング
１７  水
１８  ポンプ
１９、２３  作業空間
２０  橋脚
【図１】
0003746204.tif 000002
【図２】
0003746204.tif 000003
【図３】
0003746204.tif 000004
【図４】
0003746204.tif 000005
【図５】
0003746204.tif 000006
【図６】
0003746204.tif 000007
【図７】
0003746204.tif 000008
【図８】
0003746204.tif 000009
【図９】
0003746204.tif 000010
【図１０】
0003746204.tif 000011
【図１１】
0003746204.tif 000012
【図１２】
0003746204.tif 000013